(57)【特許請求の範囲】
【請求項１】
赤外光である第１の測定光を射出する第１の光源と、
赤外光である第２の測定光を射出する第２の光源と、
前記第１の光源と前記被検眼とを結ぶ光路に配置された、前記被検眼への前記第１の測定光の入射を制限する第１の制限手段と、
前記第２の光源と前記被検眼とを結ぶ光路に配置された、前記被検眼への前記第２の測定光の入射を制限する第２の制限手段と、
前記第１の測定光の前記被検眼からの戻り光を用いて前記被検眼による収差を測定する収差測定手段と、
前記収差測定手段により測定された収差に基づいて前記被検眼によって生じる前記第２の測定光の前記被検眼からの戻り光の収差を補正する補正手段と、
収差が補正された前記第２の測定光の前記被検眼からの戻り光を用いて前記被検眼の第１の画像を取得する第１取得手段と、
前記第１の光源および前記第２の光源が点灯した状態で、前記第１の制限手段および前記第２の制限手段を制御することで、前記第１の測定光および前記第２の測定光のうちいずれか１つの測定光を前記被検眼に入射させるとともに他の測定光の前記被検眼への入射を制限する制御手段と、
を備えたことを特徴とする眼科装置。
【請求項２】
前記第１の制限手段および前記第２の制限手段はそれぞれシャッターであり、
前記制御手段は、前記シャッターの開閉を制御することで前記測定光の前記被検眼への入射と入射の制限とを切り替えることを特徴とする請求項１記載の眼科装置。
【請求項３】
前記１の制限手段および前記第２の制限手段はそれぞれフィルタであり、
前記制限手段は、前記フィルタを前記光路に挿脱することで前記測定光の前記被検眼への入射と入射の制限とを切り替えることを特徴とする請求項１記載の眼科装置。
【請求項４】
前記第１の測定光および前記第２の測定光の前記被検眼への入射状態を示す表示形態を表示部に表示させる表示制御手段を備えたことを特徴とする請求項１〜３のいずれか１項に記載の眼科装置。
【請求項５】
前記表示制御手段は、前記シャッターの開閉状態を前記表示部に表示させることを特徴とする請求項２記載の眼科装置。
【請求項６】
前記表示制御手段は、前記フィルタの挿脱状態を前記表示部に表示させることを特徴とする請求項３記載の眼科装置。
【請求項７】
前記制限手段は、前記第１の測定光を前記被検眼に入射し前記第２の測定光の前記被検眼への入射を制限している状態から、前記第１の測定光の前記被検眼への入射を制限した後に前記第２の測定光を前記被検眼へ入射させることを特徴とする請求項１〜５のいずれか１項に記載の眼科装置。
【請求項８】
前記被検眼の視線の向きを誘導する固視灯を備え、
前記制御手段は、前記固視灯から射出された光が前記被検眼に入射した状態で、前記第１の測定光を前記被検眼に入射させることを特徴とする請求項１〜５のいずれか１項に記載の眼科装置。
【請求項９】
赤外光である第１の光源から射出された第１の測定光で被検眼を照明する第１の照明光学系と、
赤外光である第２の光源から射出された第２の測定光を前記被検眼に対して走査することで前記被検眼を照明する第２の照明光学系と、
赤外光である第３の光源から射出された第３の測定光を前記被検眼に対して走査することで前記被検眼を照明する第３の照明光学系と、
前記第１の照明光学系に配置された第１のシャッターと、
前記第２の照明光学系に配置された第２のシャッターと、
前記第３の照明光学系に配置された第３のシャッターと、
前記第１の測定光の前記被検眼からの戻り光を用いて前記被検眼における収差を測定する測定光学系と、
前記第２の測定光の前記被検眼からの戻り光を用いて前記被検眼を撮像する第１の撮像光学系と、
前記第１の撮像光学系による撮像位置を決定するために前記第３の測定光の前記被検眼からの戻り光を用いて前記被検眼を撮像する第２の撮像光学系と、
前記第１の撮像光学系に配置された、前記測定光学系により測定された収差を用いて前記第２の測定光の前記被検眼からの戻り光の収差を補正する補正手段と、
前記第１の光源、前記第２の光源および前記第３の光源が点灯した状態で、前記第１のシャッター、前記第２のシャッターおよび前記第３のシャッターのうちいずれか１つのシャッターを開き、他の２つのシャッターは閉じるように前記第１のシャッター、前記第２のシャッターおよび前記第３のシャッターの開閉を制御する制御手段と、
を備えたことを特徴とする眼科装置。
【請求項１０】
赤外光である第１の光源から射出された第１の測定光を前記被検眼に対して走査することで前記被検眼を照明する第１の照明光学系と、
赤外光である第２の光源から射出された第２の測定光を前記被検眼に対して走査することで前記被検眼を照明する第２の照明光学系と、
前記第１の照明光学系に配置された第１のシャッターと、
前記第２の照明光学系に配置された第２のシャッターと、
前記被検眼における収差を測定する測定光学系と、
前記第１の測定光の前記被検眼からの戻り光を用いて前記被検眼を撮像する第１の撮像光学系と、
前記第１の撮像光学系による撮像位置を決定するために前記第２の測定光の前記被検眼からの戻り光を用いて前記被検眼を撮像する第２の撮像光学系と、
前記第１の撮像光学系に配置された、前記測定光学系により測定された収差を用いて前記第１の測定光の前記被検眼からの戻り光の収差を補正する補正手段と、
前記第１の光源および前記第２の光源が点灯した状態で、前記第１のシャッターおよび前記第２のシャッターのうちいずれか１つのシャッターを開き、他のシャッターは閉じるように前記第１のシャッターおよび前記第２のシャッターの開閉を制御する制御手段と、
を備えたことを特徴とする眼科装置。
【請求項１１】
前記シャッターの開閉状態を表示部に表示させる表示制御手段を更に備えることを特徴とする請求項１０記載の眼科装置。
【請求項１２】
赤外光である第１の測定光を射出する第１の光源と、
赤外光である第２の測定光を射出する第２の光源と、
前記第１の光源と前記被検眼とを結ぶ光路に配置された、前記被検眼への前記第１の測定光の入射を制限する第１の制限手段と、
前記第２の光源と前記被検眼とを結ぶ光路に配置された、前記被検眼への前記第２の測定光の入射を制限する第２の制限手段と、
前記被検眼による収差を測定する収差測定手段と、
前記収差測定手段により測定された収差に基づいて前記被検眼によって生じる前記第１の測定光の前記被検眼からの戻り光の収差を補正する補正手段と、
収差が補正された前記第１の測定光の前記被検眼からの戻り光を用いて前記被検眼の第１の画像を取得する第１取得手段と、
前記第１の画像の撮像位置を決定するために用いられる前記被検眼の第２の画像を前記第２の測定光の前記被検眼からの戻り光を用いて取得する第２取得手段と、
前記第１の光源および前記第２の光源が点灯した状態で、前記第１の制限手段および前記第２の制限手段を制御することで、前記第１の測定光および前記第２の測定光のうちいずれか１つの測定光を前記被検眼に入射させるとともに他の測定光の前記被検眼への入射を制限する制御手段と、
を備えたことを特徴とする眼科装置。
【請求項１３】
前記第１の制限手段および前記第２の制限手段はシャッターであり、
前記シャッターの開閉状態を表示部に表示させる表示制御手段を更に備えることを特徴とする請求項１２記載の眼科装置。
【発明の詳細な説明】
【技術分野】
【０００１】
本発明は、眼科装置に関するものである。
【背景技術】
【０００２】
共焦点レーザー顕微鏡の原理を利用した眼科装置である走査型レーザー検眼鏡（ＳＬＯ：Ｓｃａｎｎｉｎｇ  Ｌａｓｅｒ  Ｏｐｈｔｈａｌｍｏｓｃｏｐｅ）は、測定光であるレーザーを被検眼の例えば眼底に対してラスタースキャン等の走査を行い、被検眼からの戻り光の強度から平面画像を高分解能かつ高速に得る装置である。以下、このような平面画像を撮像する装置をＳＬＯ装置という場合がある。
また、被検眼による収差を波面センサでリアルタイムに測定し、被検眼にて発生する収差を波面補正デバイスで補正する技術が知られている。この収差を波面補正デバイスで補正する補償光学系を有する補償光学ＳＬＯ装置（Ａｄａｐｔｉｖｅ  Ｏｐｔｉｃｓ  ＳＬＯ：以下、ＡＯＳＬＯ装置という場合がある）が開発され、高横分解能な平面画像の取得を可能にしている（特許文献１参照）。また、特許文献１では、広画角の眼底像のアライメントが適切ではない場合、高横分解能な平面画像を取得するための光源および収差を測定するための光源から照明光を射出させないこととしている。
【先行技術文献】
【特許文献】
【０００３】
【特許文献１】特開２０１０−２５９５４３号公報
【発明の概要】
【発明が解決しようとする課題】
【０００４】
しかしながら、光源のＯＮ／ＯＦＦを制御する場合、光源をＯＮしてから射出される光が安定するまで時間がかかり検査時間が長くなってしまうという問題がある。また、光源のＯＮ／ＯＦＦを制御せず、複数の光源からの光を同時に被検眼へ照射する場合には、各光源から射出された光量を積算した光量が、安全上問題のない光量であることが必要となる。すなわち、１の光源で被検眼を照射する場合と比べ、複数の光源で被検眼を照射する場合には、安全性の問題からそれぞれ光源の光量を低く抑える必要があり、画質の低下が生じることになる。
【０００５】
本発明の目的の１つは安全性を確保しながら画質の低下を防止するとともに検査時間の長時間化を防止することである。
【０００６】
なお、前記目的に限らず、後述する発明を実施するための形態に示す各構成により導かれる作用効果であって、従来の技術によっては得られない作用効果を奏することも本件の他の目的の１つとして位置付けることができる。
【課題を解決するための手段】
【０００７】
本眼科装置は、赤外光である第１の測定光を射出する第１の光源と、赤外光である第２の測定光を射出する第２の光源と、前記第１の光源と前記被検眼とを結ぶ光路に配置された、前記被検眼への前記第１の測定光の入射を制限する第１の制限手段と、前記第２の光源と前記被検眼とを結ぶ光路に配置された、前記被検眼への前記第２の測定光の入射を制限する第２の制限手段と、前記第１の測定光の前記被検眼からの戻り光を用いて前記被検眼による収差を測定する収差測定手段と、前記収差測定手段により測定された収差に基づいて前記被検眼によって生じる前記第２の測定光の前記被検眼からの戻り光の収差を補正する補正手段と、収差が補正された前記第２の測定光の前記被検眼からの戻り光を用いて前記被検眼の第１の画像取得する第１取得手段と、前記第１の光源および前記第２の光源が点灯した状態で、前記第１の制限手段および前記第２の制限手段を制御することで、前記第１の測定光および前記第２の測定光のうちいずれか１つの測定光を前記被検眼に入射させるとともに他の測定光の前記被検眼への入射を制限する制御手段と、を備えたことを特徴とする。
【０００８】
さらに、本眼科装置は、赤外光である第１の光源から射出された第１の測定光で被検眼を照明する第１の照明光学系と、赤外光である第２の光源から射出された第２の測定光を前記被検眼に対して走査することで前記被検眼を照明する第２の照明光学系と、第３の光源から射出された第３の測定光を前記被検眼に対して走査することで前記被検眼を照明する第３の照明光学系と、前記第１の照明光学系に配置された第１のシャッターと、前記第２の照明光学系に配置された第２のシャッターと、前記第３の照明光学系に配置された第３のシャッターと、前記第１の測定光の前記被検眼からの戻り光を用いて前記被検眼における収差を測定する測定光学系と、前記第２の測定光の前記被検眼からの戻り光を用いて前記被検眼を撮像する第１の撮像光学系と、前記第１の撮像光学系による撮像位置を決定するために前記第３の測定光の前記被検眼からの戻り光を用いて前記被検眼を撮像する第２の撮像光学系と、前記第１の撮像光学系に配置された、前記測定光学系により測定された収差を用いて前記第２の測定光の前記被検眼からの戻り光の収差を補正する補正手段と、前記第１の光源、前記第２の光源および前記第３の光源が点灯した状態で、前記第１のシャッター、前記第２のシャッターおよび前記第３のシャッターのうちいずれか１つのシャッターを開き、他の２つのシャッターは閉じるように前記第１のシャッター、前記第２のシャッターおよび前記第３のシャッターの開閉を制御する制御手段と、を備える。
【発明の効果】
【０００９】
本発明によれば、安全性を確保しながら画質の低下を防止するとともに検査時間の長時間化を防止することが可能になる。
【図面の簡単な説明】
【００１０】
【図１】（ａ）、（ｂ）は、本発明の実施例におけるＡＯＳＬＯ装置の全体の構成の一例を示す図である。
【図２】本発明の実施例におけるＡＯＳＬＯ装置の光学系の構成の一例を示す図である。
【図３】本発明の実施例における固視灯の一例を示す図である。
【図４】本発明の実施例におけるＡＯＳＬＯ装置の測定光の波長分布の一例を示す図である。
【図５】制御ＰＣの機能の一例を模式的に示す図である。
【図６】本発明の実施例におけるＡＯＳＬＯ装置による撮像手順の一例を示すフローチャートである。
【図７】本発明の実施例におけるＡＯＳＬＯ装置の制御ソフト画面の構成の一例を示す図である。
【図８】本発明の実施例におけるＡＯＳＬＯ装置の画像閲覧ソフトの画面の構成の一例を示す図である。
【発明を実施するための形態】
【００１１】
図面を参照しながら本発明を実施するための形態の一例を説明する。なお、本発明は以下の実施例に限定されるものではなく、本願の趣旨を逸脱しない範囲内において種々の変形、変更を行って実施することも可能である。
【００１２】
［実施例］
本実施例においては、眼科装置として、本発明を適用したＡＯＳＬＯ装置について説明する。このＡＯＳＬＯ装置は、補償光学系を備え、被検眼の眼底の高横分解能の平面画像（以下、ＡＯＳＬＯ像という場合がある）の撮像を行う装置である。
【００１３】
また、ＡＯＳＬＯ装置は、ＡＯＳＬＯ像の取得を補助する目的で、広画角の平面画像（以下、ＷＦＳＬＯ像という場合がある）の撮像を行うＷＦＳＬＯ部を備える。さらに、ＡＯＳＬＯ装置は、測定光の入射位置を把握するための前眼部観察部、および撮像箇所を調整  するために視線を誘導する固視灯部を備えている。
本実施例に係るＡＯＳＬＯ装置は、被検眼による光学収差を空間光変調器を用いて補正して平面画像を取得するため、被検眼の視度や、被検眼による光学収差による影響を軽減した良好な平面画像が得ることが可能となる。
【００１４】
本実施例では、高横分解能の平面画像を撮像するために、補償光学系を備えているが、高解像度を実現できる光学系の構成であれば、補償光学系を備えていなくてもよい。
【００１５】
＜装置の全体構成＞
図１を用いて、まず、本実施例におけるＡＯＳＬＯ装置１０１の概略構成について説明する。図１は本実施例におけるＡＯＳＬＯ装置１０１の全体の構成の一例を示す図である。図１（ａ）は、本実施例おけるＡＯＳＬＯ装置の上面図、図１（ｂ）は本実施例におけるＡＯＳＬＯ装置１０１の側面図である。なお、本実施例では、顔受け部１０４側から見たＡＯＳＬＯ装置１０１を正面としている。
【００１６】
ＡＯＳＬＯ装置１０１は、ヘッド部１０２、ステージ部１０３、顔受け部１０４、液晶モニター１０５、制御ＰＣ１０６およびジョイスティック１０７を備える。
【００１７】
ヘッド部１０２は、例えば被検眼を撮像する手段を備えており、主要な光学系が内蔵されている。内蔵されている光学系についての詳細は後述する。なお、本実施例においては、ヘッド部１０２は、ステージ部１０３上に設置される。
【００１８】
ステージ部１０３は、検査者によるジョイスティック１０７への操作に応じてヘッド部１０２を水平垂直方向に移動させる。例えば、ジョイスティック１０７を傾倒することによって水平方向（Ｘ，Ｚ方向）に、ジョイスティック１０７を回転させることによって垂直方向（Ｙ方向）にヘッド部１０２を移動できる。
【００１９】
顔受け部１０４は被検者の顔を乗せることが可能となっており、顔受け部１０４を移動させることにより被検眼の位置を調整することができる。具体的には、顔受け部１０４は、顎を乗せる顎受け１０８と電動ステージによって顎受け１０８を移動させる顎受け駆動部１０９とを備える。
【００２０】
液晶モニター１０５は、種々の情報を表示可能であり、例えばＡＯＳＬＯ装置１０１の操作画面を表示する。液晶モニター１０５は、表示手段の一例に相当する。なお、本実施例ではモニターとして液晶を用いているがこれに限定されるものではなく、情報を表示可能なものであればよい。また、液晶モニター１０５はタッチパネル機能を備えていてもよい。
【００２１】
制御ＰＣ１０６は、ＡＯＳＬＯ装置１０１全体を制御する。
【００２２】
ジョイスティック１０７は、検査者からの指示を受け付ける。例えば、ジョイスティック１０７を傾倒することによって水平方向に、回転させることによって垂直方向にヘッド部１０２を移動できる。なお、液晶モニター１０５がタッチパネル機能を備え、タッチパネルによりヘッド部１０２を移動させることが可能な場合にはジョイスティック１０７を設けないこととしてもよい。
【００２３】
ここで、ヘッド部１０２の側面に液晶モニター１０５が備えられているが、これに限定されるものではなく、ヘッド部１０２の背面など他の位置に液晶モニター１０５を設けることとしてもよい。さらに、液晶モニター１０５の位置は固定であってもよいし、移動可能に構成してもよい。また、制御ＰＣ１０６はヘッド部１０２の外部に設けられているが、これに限定されるものではなくヘッド部１０２またはステージ部１０３の内部に設けられることとしてもよい。また、ジョイスティック１０７はヘッド部１０２の側面に備えられているが、これに限定されるものではなくヘッド部１０２の背面など他の位置に備えられることとしてもよい。
【００２４】
＜光学系の構成＞
次に、図２を用いて、ヘッド部１０２に内蔵される光学系について、具体的に説明する。なお、図２に示す光学系は全てヘッド部１０２に内蔵されなくともよい。例えば、ヘッド部１０２およびステージ部１０３に図２に示す光学系が内蔵されることとしてもよい。図２は、本実施例におけるＡＯＳＬＯ装置１０１の光学系の構成の一例を示す図である。
【００２５】
なお本実施例では、光学系の全体を主にレンズを用いた屈折光学系を用いて構成しているが、レンズの代わりに球面ミラーを用いた反射光学系によっても構成することができる。
【００２６】
図２に示す光学系は、ＡＯＳＬＯ部、ビーコン部、ＷＦＳＬＯ部、固視灯部および前眼部観察部を備える。
【００２７】
ＡＯＳＬＯ部は、光源２０１−１、シングルモードファイバー２３０−１、２３０−３、２３０−４、光ファイバー２３０−２、光カプラー２３１、偏光コントローラ２５３−２、２５３−２４およびシャッター２９１−１を備える。ここで、シャッター２９１−２は、第２の光源と前記被検眼とを結ぶ光路に配置された、前記被検眼への前記第１の測定光の入射を制限する第１の制限手段の一例に相当する。さらに、ＡＯＳＬＯ部は、レンズ２３５−１、２３５−５、２３５−６、２３５−７、２３５−８、２３５−９、２３５−１０、ビームスプリッタ２５８−１、空間光変調器２５９、ＸＹスキャナ２１９−１を備える。また、ＡＯＳＬＯ部は、ダイクロイックミラー２７０−１、電動ステージ２１７−１、光量測定装置２６４およびディテクター２３８−１を備える。
【００２８】
ビーコン部は、光源２０１−３、レンズ２３５−５、２３５−６、２３５−７、２３５−８、２３５−９、２３５−１０、２３５−１５、２３５−１６、ＸＹスキャナ２１９−１、空間光変調器２５９、ピンホール２９８を備える。さらに、ビーコン部は、シャッター２９１−３、ダイクロイックミラー２７０−１、２７０−２、２７０−４、電動ステージ２１７−１、２１７−３、ビームスプリッタ２５８−１および波面センサ２５５を備える。ここで、シャッター２９１−３は、前記第１の光源と前記被検眼とを結ぶ光路に配置された、前記被検眼への前記第２の測定光の入射を制限する第１の制限手段の一例に相当する。
【００２９】
ＷＦＳＬＯ部は、光源２０１−２、レンズ２３５−２、２３５−３、２３５−４、２３５−１１、２３５−１２、２３５−１３、２３５−１４、ビームスプリッタ２５８−２、ＸＹスキャナ２１９−２を備える。さらにＷＦＳＬＯ部は、電動ステージ２１７−２、ダイクロイックミラー２７０−１、２７０−２、２７０−３、シャッター２９１−２およびディテクター２３８−２を備える。
【００３０】
固視灯部は、固視灯２５６、レンズ２３５−１７、２３５−１８、ダイクロイックミラー２７０−１、２７０−２、２７０−３、電動ステージ２１７−４を備える。
【００３１】
前眼観察部は、前眼部照明光源２０１−４、ダイクロイックミラー２７０−１、２７０−２、２０７−４、レンズ２３５−１９、２３５−２０およびＣＣＤカメラ２６０を備える。
【００３２】
＜ＡＯＳＬＯ部＞
ＡＯＳＬＯ部は、ＡＯＳＬＯ像を取得する。
【００３３】
まず、光源２０１−１について説明する。光源２０１−１は、代表的な低コヒーレント光源であるＳＬＤ（Ｓｕｐｅｒ  Ｌｕｍｉｎｅｓｃｅｎｔ  Ｄｉｏｄｅ）である。一例として光源２０１−１から射出される光の中心波長は８４０ｎｍ、バンド幅（半値全幅）５０ｎｍである。この中心波長等の値は、例えば被検眼（水晶体、硝子体等）による光の吸収による損失を考慮して定められる。なお、一般的に８４０ｎｍ付近は光の吸収による損失が近接する波長に比べ少ない。光源２０１−１は第２の測定光を射出する第２の光源の一例に相当する。ここでは、スペックルノイズの少ない平面画像を取得するために低コヒーレント光源を選択している。また、光源の種類は、ここでは、ＳＬＤを選択したが低コヒーレント光が出射できればよくＡＳＥ（Ａｍｐｌｉｆｉｅｄ  Ｓｐｏｎｔａｎｅｏｕｓ  Ｅｍｉｓｓｉｏｎ）等も用いることができる。
【００３４】
また、波長は眼を測定することを鑑みると、近赤外光が適する。さらに、波長は得られる平面画像の横方向の分解能に影響するため、なるべく短波長であることが望ましく、ここでは一例として８４０ｎｍとするが、観察対象の測定部位によっては他の波長を選んでも良い。
【００３５】
光源２０１−１から出射された光は、シングルモードファイバー２３０−１と光カプラー２３１とを介して、参照光２０５と測定光２０６−１とに９０：１０の割合で分割される。具体的には、光源２０１−１から出射した光は、光カプラー２３１によって参照光２０５と測定光２０６−１とに分割される。なお、光カプラー２３１による分岐比は上述の値に限定されるものではない。
【００３６】
＜参照光２０５＞
次に、参照光２０５の光路について説明する。
【００３７】
光カプラー２３１によって分割された参照光２０５は、光の偏光を制御する偏光コントローラ２５３−２を備える光ファイバー２３０−２を介して、光量測定装置２６４に入射される。光量測定装置２６４は参照光２０５の光量を測定し、測定光２０６−１の光量をモニターする用途に用いられる。例えば、光量測定装置２６４の測定値が所定の閾値を超えた場合、制御ＰＣ１０６は安全な光量を超えたと判断して光源２０１−１から射出される光の被検眼への入射を制限する。
【００３８】
＜測定光２０６−１＞
次に、測定光２０６−１の光路について説明する。
【００３９】
光カプラー２３１によって分割された測定光２０６−１は、光の偏光を制御する偏光コントローラ２５３−４を備えるシングルモードファイバー２３０−４を介してレンズ２３５−１に導かれる。そして、レンズ２３５−１によって測定光２０６−１は例えばビーム径４ｍｍの平行光になる。なお、ビーム径の値は例示であり、この値に限定されるものではない。その後、測定光２０６−１はシャッター２９１−１を介してビームスプリッタ２５８−１に到達する。シャッター２９１−１は、光源２０１−１から射出された光を被検眼２０７に入射させるか否かを制御することができる。
【００４０】
測定光２０６−１は、ビームスプリッタ２５８−１を通過し、レンズ２３５−５〜６を通過し、空間光変調器２５９に入射する。なお、ビームスプリッタ２５８−１は、光源２０１−１から被検眼２０７へ向かう光および光源２０１−１による被検眼２０７からの戻り光を透過する一方、光源２０１−３から射出されて被検眼２０７から戻る光を波面センサ２５５へ反射する。すなわち、ビームスプリッタ２５８−１は波長８００〜８８０ｎｍの光を透過し、他の波長の光を反射する特性を有する。
【００４１】
また、本実施例では、収差補正デバイスとして反射型の空間光変調器を用いたが、透過型の空間光変調器や、可変形状ミラーを用いてもよい。
【００４２】
ここで、空間光変調器２５９は、制御ＰＣ１０６からドライバ部２８１内の空間光変調器駆動ドライバ２８８を介して制御される。すなわち、空間光変調機駆動ドライバ２８８は空間光変調器２５９と電気的に接続されている。なお、図２においてドライバ部２８１は制御ＰＣ１０６の外部に設けられているが、制御ＰＣ１０６の内部に備えられることとしてもよい。
【００４３】
測定光２０６−１は、空間光変調器２５９にて変調され、レンズ２３５−７〜８を通過し、ＸＹスキャナ２１９−１のミラーに入射される。ここでは、簡単のため、ＸＹスキャナ２１９−１は一つのミラーとして記したが、実際にはＸスキャナとＹスキャナとの２枚のミラーが近接して配置され、網膜２２７上を光軸に垂直な方向にラスタースキャンするものである。また、測定光２０６−１の中心は、ＸＹスキャナ２１９−１のミラーの回転中心と一致するように調整されている。
【００４４】
ここで、Ｘスキャナは測定光２０６−１を紙面の水平方向に走査するスキャナであり、ここでは共振型スキャナを用いている。例えば、Ｘスキャナの駆動周波数は約７．９ｋＨｚである。またＹスキャナは、測定光２０６−１を紙面に垂直な方向に走査するスキャナであり、ここではガルバノスキャナを用いている。駆動波形は例えばのこぎり波であり、例えば、周波数は３２Ｈｚ、デューティ比は１６％である。Ｙスキャナの駆動周波数は、ＡＯＳＬＯ像の撮像のフレームレートを決定する重要なパラーメーターである。
【００４５】
ここで、ＸＹスキャナ２１９−１は制御ＰＣ１０６からドライバ部２８１内の光スキャナ駆動ドライバ２８２を介して制御される。すなわち、光スキャナ駆動ドライバ２８２はＸＹスキャナ２１９−１と電気的に接続されている。
【００４６】
ＸＹスキャナ２１９−１により走査された測定光２０６−１は、レンズ２３５−９〜１０およびダイクロイックミラー２７０−１を介して観察対象である被検眼２０７に導かれる。すなわち、ＡＯＳＬＯ部は、第２の光源から射出された第２の測定光を被検眼に対して走査することで被検眼を照明する第２の照明光学系の一例に相当する。
【００４７】
レンズ２３５−９〜１０は、網膜２２７を走査するための光学系であり、測定光２０６−１を被検眼２０７の瞳孔中心を支点として、網膜２２７をスキャンする役割がある。
【００４８】
ここで、測定光２０６−１のビーム径は４ｍｍであるが、より高分解能な光画像を取得するためにビーム径をより大径化してもよいし、高分解能を必要としない場合にはビーム径を４ｍｍ未満としてもよい。すなわち、ビーム径は４ｍｍに限定されるものではない。
【００４９】
また、２１７−１は電動ステージであり、矢印で図示している方向に移動することで付随するレンズ２３５−１０の位置を動かし、フォーカスを調整することができる。
【００５０】
ここで、電動ステージ２１７−１は、制御ＰＣ１０６からドライバ部２８１内の電動ステージ駆動ドライバ２８３を介して制御される。すなわち、電動ステージ駆動ドライバ２８３は電動ステージ２１７−１と電気的に接続されている。レンズ２３５−１０の位置を調整することで、被検眼２０７の網膜２２７の所定の層に、測定光２０６−１を合焦し観察することが可能になる。また、被検眼２０７が屈折異常を有している場合にも対応できる。
【００５１】
レンズ２３５−１０を通過した測定光２０６−１はダイクロイックミラー２７０−１を介して被検眼へ入射する。
【００５２】
ここで、ダイクロイックミラー２７０−１は、光源２０１−１から被検眼へ向かう光および光源２０１−１から射出されて被検眼から戻ってくる光を透過する。一方、ダイクロイックミラー２７０−１は、２０１−２から被検眼へ向かう光および光源２０１−２から射出されて被検眼から戻ってくる光、前眼部照明光源２０１−４から射出されて被検眼から戻ってくる光を反射する。また、ダイクロイックミラー２７０−１は、固視灯２５６からの光を反射する。さらに、ダイクロイックミラー２７０−１は、光源２０１−３から被検眼へ向かう光および光源２０１−３から射出されて被検眼から戻ってくる光については、例えば半分反射し半分透過する。なお、反射と透過の比率は１：１に限定されるものではない。すなわち、ダイクロイックミラー２７０−１は波長８００〜８８０ｎｍの光を透過するとともに、波長７５０〜７７０ｎｍ程度の光は半分透過し半分反射する特性を有する。このダイクロイックミラー２７０−１により、光源２０１−１および光源２０１−３から射出される光と他の光源から射出される光とを分離することが可能となる。
【００５３】
測定光２０６−１は、被検眼２０７に入射すると、網膜２２７からの反射や散乱により、戻り光２０８となり上記の光路を逆行し、再び光カプラー２３１に導かれる。そして、シングルモードファイバー２３０−３を介してディテクター２３８−１に到達する。すなわち、ＡＯＳＬＯ部は、第２の測定光の前記被検眼からの戻り光を用いて被検眼を撮像する第１の撮像光学系の一例に相当する。また、空間光変調器２５９は、第１の撮像光学系に配置された、測定光学系により測定された収差を用いて第２の測定光の前記被検眼からの戻り光の収差を補正する補正手段の一例に相当する。ディテクター２３８−１は、例えば高速・高感度な光センサであるＡＰＤ（Ａｖａｌａｎｃｈｅ  Ｐｈｏｔｏ  Ｄｉｏｄｅ）やＰＭＴ（Ｐｈｏｔｏｍｕｌｔｉｐｌｉｅｒ  Ｔｕｂｅ）が用いられるが、これらに限定されるものではない。ディテクター２３８−１は戻り光２０８の光強度を電圧に変換し、制御ＰＣ１０６はこの電圧信号を用いて、被検眼２０７の平面画像を構成する。すなわち、ディテクター２３８−１は、収差が補正された前記第２の測定光の前記被検眼からの戻り光を用いて前記被検眼の第１の画像を取得する第１取得手段の一例に相当する。
【００５４】
＜ＷＦＳＬＯ部＞
次に、ＷＦＳＬＯ部について説明する。ＷＦＳＬＯ部はＷＦＳＬＯ像を取得する。なお、ＷＦＳＬＯ部は基本的にＡＯＳＬＯ部と同様の構成となっているため、重複する部分ついては簡単のため説明を省略する。
【００５５】
ＷＦＳＬＯ部は光源２０１−２を備える。光源２０１−２は、ＡＯＳＬＯ部と同様にＳＬＤである。光源２０１−２から射出される光の中心波長は例えば９２０ｎｍ、バンド幅２０ｎｍである。光源２０１−２は第３の測定光を射出する第３の光源の一例に相当する。なお、光源の種類は、ここでは、ＳＬＤを選択したが低コヒーレント光が出射できればよくＡＳＥ（Ａｍｐｌｉｆｉｅｄ  Ｓｐｏｎｔａｎｅｏｕｓ  Ｅｍｉｓｓｉｏｎ）等も用いることができる。また、光源２０１−２から射出される光の波長やバンド幅は上記の値に限定されるものではなく、他の値とすることも可能である。
【００５６】
光源２０１−２から射出された測定光２０６−２の光路について説明する。光源２０１−２から射出された測定光２０６−２は、シャッター２９１−２、レンズ２３５−２、レンズ２３５−１１〜１４、ビームスプリッタ２５８−２、ＸＹスキャナ２１９−２、ダイクロイックミラー２７０−１〜３等を介して観察対象である被検眼２０７に導かれる。すなわち、第３の光源から射出された第３の測定光を被検眼に対して走査することで被検眼を照明する第３の照明光学系の一例に相当する。なお、シャッター２９１−２は、光源２０１−３から射出された光を被検眼２０７に入射させるか否かを制御することができる。
【００５７】
ここで、ビームスプリッタ２５８−２は、光源２０１−２から被検眼へ向かう光を透過する一方、光源２０１−２から射出されて被検眼から戻ってくる光をディテクター２３８−２へ反射する。すなわち、ＷＯＳＬＯ部は、第１の撮像光学系による撮像位置を決定するために第３の測定光の被検眼からの戻り光を用いて被検眼を撮像する第２の撮像光学系の一例に相当する。
【００５８】
さらに、ダイクロイックミラー２７０−２は、光源２０１−２から被検眼へ向かう光、光源２０１−２から射出されて被検眼から戻ってくる光および固視灯２５６からの光を透過する。一方、光源２０１−３から被検眼へ向かう光および光源２０１−３から射出されて被検眼から戻ってくる光を反射する。また、ダイクロイックミラー２７０−２は前眼部照明光源２０１−４から射出され被検眼２０７から戻ってくる光を反射する。すなわち、ダイクロイックミラー２７０−２は波長７００〜８８０ｎｍの光を反射し、他の波長の光を透過する特性を有する。このダイクロイックミラー２７０−２により、光源２０１−３および前眼部照明光源２０１−４から射出される光と光源２０１−２および固視灯２５６から射出される光とを分離することが可能となる。
【００５９】
また、ダイクロイックミラー２７０−３は、光源２０１−２から被検眼へ向かう光、光源２０１−２から射出されて被検眼から戻ってくる光および固視灯２５６からの光を透過する。一方、固視灯２５６から被検眼へ向かう光を反射する。すなわち、ダイクロイックミラー２７０−３は波長７００ｎｍ以上の光を透過し、他の波長の光を反射する特性を有する。このダイクロイックミラー２７０−３により、固視灯２５６から射出される光と光源２０１−２から射出される光とを分離することが可能となる。
【００６０】
なお、図２においては簡単のため、ＸＹスキャナ２１９−２は一つのミラーとして記したが、実際にはＸスキャナとＹスキャナとの２枚のミラーが近接して配置され、網膜２２７上を光軸に垂直な方向にラスタースキャンするものである。
【００６１】
ここで、ＸＹスキャナ２１９−２の構成要素であるＸスキャナは、測定光２０６−２を紙面の水平方向に走査するスキャナであり、ここでは共振型スキャナを用いている。例えば駆動周波数は約３．９ｋＨｚである。また、Ｙスキャナは測定光２０６−２を紙面に垂直な方向に走査するスキャナであり、ここでは、ガルバノスキャナを用いている。駆動波形は例えばのこぎり波であり、例えば、周波数は１５Ｈｚ、デューティ比は１６％である。Ｙスキャナの駆動周波数は、ＷＦＳＬＯ像のフレームレートを決定する重要なパラーメーターである。なお、ＸＹスキャナ２１９−２は制御ＰＣ１０６からドライバ部２８１内の光スキャナ駆動ドライバ２８２を介して制御される。すなわち、光スキャナ駆動ドライバ２８２はＸＹスキャナ２１９−２と電気的に接続されている。
【００６２】
ここで、測定光２０６−２のビーム径は１ｍｍとなるように光学系は構成さされている。しかし、より高分解能な光画像を取得するために、ビーム径をより大径化してもよいし、高分解能を必要としない場合には１ｍｍ未満としてもよい。すなわち、ビーム径は１ｍｍに限定されるものではない。
【００６３】
測定光２０６−２は、被検眼２０７に入射すると網膜２２７からの反射や散乱により戻り光２０８となりダイクロイックミラー２７０−１〜３、レンズ２３５−１３〜１４、レンズ２３５−２〜４、ＸＹスキャナ２１９−２、ビームスプリッタ２５８−２等を介してディテクター２３８−２に到達する。
【００６４】
＜ビーコン部＞
次に、被検眼２０７にて発生する収差を測定するためのビーコン部について説明する。
【００６５】
ビーコン部は、光源２０１−３を備える。光源２０１−３から射出される光の中心波長は７６０ｎｍ、バンド幅は２０ｎｍである。光源２０１−３は第１の測定光を射出する第１の光源に相当する。なお、光源２０１−３から射出される光の中心波長やバンド幅は上記の値に限定されるものではなく、他の値とすることも可能である。
【００６６】
光源２０１−３から射出された測定光２０６−３は、シャッター２９１−３、レンズ２３５−１５〜１６、ダイクロイックミラー２７０−１、２７０−２、２７０−４を介して観察対象である被検眼２０７に導かれる。すなわち、ビーコン部は、第１の光源から射出された第１の測定光で被検眼を照明する第１の照明光学系の一例に相当する。ここで、測定光２０６−３は、角膜２２６からの反射を避けるために、例えば被検眼２０７の中心から偏心して入射される。シャッター２９１−３は、光源２０１−３から射出された光を被検眼２０７に入射させるか否かを制御することができる。
【００６７】
ここで、ダイクロイックミラー２７０−４は、光源２０１−３から被検眼２０７へ向かう光を透過する一方、前眼部照明光源２０１−４から射出されて被検眼から戻ってくる光をＣＣＤカメラ２６０へ反射する。すなわち、ダイクロイックミラー２７０−４は波長７５０ｎｍ以上の光を透過し、他の波長の光を反射する特性を有する。このダイクロイックミラー２７０−４により、前眼部照明光源２０１−４から射出される光と光源２０１−３から射出される光とを分離することが可能となる。
【００６８】
光源２０１−３による戻り光２０８の一部は、ビームスプリッタ２５８−１、ピンホール２９８を介して、波面センサ２５５に入射され、被検眼２０７で発生する戻り光２０８の収差が測定される。すなわち、波面センサ２５５は第１の測定光の前記被検眼からの戻り光を用いて前記被検眼による収差を測定する収差測定手段の一例に相当する。また、ビーコン部は第１の測定光の被検眼からの戻り光を用いて被検眼における収差を測定する測定光学系の一例に相当する。ここで、ピンホール２９８は、戻り光２０８以外の不要光を遮蔽する目的で設置されている。なお、波面センサ２５５は、制御ＰＣ１０６に電気的に接続されている。
【００６９】
波面センサ２５５は、シャックハルトマン方式の波面センサであり、測定レンジは例えば−１０Ｄ〜＋５Ｄとなっている。得られた収差は、ツェルニケ多項式を用いて表現され、これは被検眼２０７による収差を示している。ツェルニケ多項式はチルト（傾き）の項、デフォーカスの項、アスティグマ（非点収差）の項、コマの項、トリフォイルの項等からなる。
【００７０】
ここで、角膜２２６とＸＹスキャナ２１９−１と波面センサ２５５と空間光変調器２５９とは光学的に共役になるようレンズ２３５−５〜１０等が配置されている。そのため、波面センサ２５５は、被検眼２０７による収差を測定することが可能になっている。また、空間光変調器２５９は被検眼２０７による収差を補正することが可能になっている。
【００７１】
＜固視灯部＞
固視灯２５６からの光束２５７は、被検眼２０７の固視あるいは回旋を促す役割を有する。
【００７２】
固視灯２５６は、発光型のディスプレイモジュールからなり表示面（□２７ｍｍ、１２８×１２８画素）をＸＹ平面に有する。ここでは、液晶、有機ＥＬ、ＬＥＤアレイ等を用いることができる。被検眼２０７が、固視灯２５６からの光束２５７を注視することで、被検眼２０７の固視あるいは回旋が促される。固視灯２５６の表示面には例えば図３に示すように、任意の点灯位置２６５に十字のパターンが点滅して表示される。固視灯２５６から射出される光束２５７は、可視光である。なお、図４に示すように、光束２５７の一部の波長（例えば、可視光に含まれる赤の波長）は７００ｎｍ以上となっている。
【００７３】
固視灯２５６からの光束２５７は、レンズ２３５−１７〜１８、ダイクロイックミラー２７０−１〜３を介して網膜２２７に導かれる。また、レンズ２３５−１７、１８は、固視灯２５６の表示面と網膜２２７とが光学的に共役になるよう配置される。また、固視灯２５６は、制御ＰＣ１０６からドライバ部２８１内の固視灯駆動ドライバ２８４を介して制御される。すなわち、固視灯駆動ドライバ２８４は固視灯２５６と電気的に接続されている。
【００７４】
なお、固視灯２５６の表示面の大きさや画素数は上記の値に限定されるものではなく、他の値とすることが可能である。また、上記の例では固視のパターン十字としたが、これに限定されるものではなく、他の形状としてもよい。
【００７５】
＜前眼部観察部＞
次に、前眼部観察部について説明する。前眼観察部は被検眼の前眼部像を取得する。
【００７６】
前眼部照明光源２０１−４は例えば中心波長７４０ｎｍのＬＥＤ（Ｌｉｇｈｔ  Ｅｍｉｔｔｉｎｇ  Ｄｉｏｄｅ）である。また例えば、バンド幅は数十ｎｍである。なお、中心波長やバンド幅はこれらの値に限定されるものではない。前眼部照明光源２０１−４から照射された光は、被検眼２０７を照らし、その反射光がダイクロイックミラー２０７−１、２、４、レンズ２３５−１９、２０を介してＣＣＤカメラ２６０に入射する。
【００７７】
＜フォーカス、乱視補正＞
以上のように、ヘッド部１０２に内蔵される光学系は、ＡＯＳＬＯ部、ＷＦＳＬＯ部、ビーコン部、固視灯部、前眼部観察部を備える。この中でＡＯＳＬＯ部、ＷＦＳＬＯ部、ビーコン部、固視灯部はそれぞれ個別に電動ステージ２１７−１〜４を持ち、４つの電動ステージを連動させて動かしている。ただし、個別にフォーカス位置を調整したい場合には、個別に電動ステージを動かすことで調整可能である。
【００７８】
また、２３５−１０のレンズは交換可能になっており、被検眼２０７による収差（屈折異常）に合わせて球面レンズやシリンドリカルレンズを用いることができる。また１個のレンズに限らず、複数のレンズを組み合わせて設置することも可能である。
【００７９】
＜シャッター＞
ＡＯＳＬＯ部、ＷＦＳＬＯ部、ビーコン部は、光源２０１−１〜３の光路上に、シャッター２９１−１〜３をそれぞれ備え、それぞれのビームを個別に遮断し、被検眼２０７に入射させるか否かを制御することができる。シャッター２９１−１〜３の開閉の制御は制御ＰＣ１０６（駆動・制御手段１１４）により行われる。ここで、シャッター２９１−１〜３は、第１の光源、第２の光源および第３の光源のそれぞれと被検眼とを結ぶ複数の光路のそれぞれに備えられる制限手段の一例に相当する。すなわち、制御手段である駆動・制御手段１１４は、制限手段を制御することで測定光の被検眼への入射と入射の制限とを切り替える。具体的には制御手段である駆動・制御手段１１４は、第１の光源、第２の光源および第３の光源が点灯した状態で、シャッターの開閉を制御することで前記測定光の前記被検眼への入射と入射の制限とを切り替える。なお、シャッター２９１−１〜３は、それぞれ第１のシャッター、第２のシャッターおよび第３のシャッターの一例に相当する。すなわち、駆動・制御手段１１４は、第１の光源、前記第２の光源および前記第３の光源が点灯した状態で、第１のシャッター、第２のシャッターおよび第３のシャッターのうちいずれか１つのシャッターを開き、他の２つのシャッターは閉じるように第１のシャッター、第２のシャッターおよび第３のシャッターの開閉を制御する制御手段の一例に相当する。
【００８０】
なお、本実施例においては、被検眼２０７へ入射するビームの制御に、シャッターを用いたが、これに限らず、ミラー等で光路を変更することにより被検眼２０７へ入射するビームを制御してもよい。また、光源２０１を直接ＯＮ／ＯＦＦすることにより被検眼２０７へ入射するビームを制御することもできる。さらに、シャッターに代えて減衰フィルタ設け、光路に挿脱することで被検眼２０７への入射と入射の制限とを切り替えることとしてもよい。ここで、ミラーやフィルタは制限手段の一例に相当する。なお、制限手段がフィルタである場合、制限手段である駆動・制御手段は、第１の光源、第２の光源および第３の光源が点灯した状態で、フィルタを光路に挿脱することで測定光の被検眼への入射と入射の制限とを切り替える。同様に、前眼観察部、固視灯部についても、光源２０１−４および発光型のディスプレイモジュールのＯＮ／ＯＦＦにより制御可能である。なお、シャッター２９１−１〜３を用いる場合、光源２０１−１〜３を点灯したまま被検眼２０７への光の入射を制御できる。従って、測定光の被検眼２０７への入射の制限を解除する際に、光源２０１−１〜３を消灯してから安定して光を射出するまでの時間が不要となり迅速な制御が可能となる。なお、ミラーやフィルタを用いた場合も同様の効果を得ることが可能である。
【００８１】
また、シャッター２９１−１〜３の開閉状態は、後述する表示制御手段１１２によって制御ソフト画面（図７）のシャッター状態表示領域５０９に表示される。シャッターの開閉状態を表示することにより、検者は、測定光２０６−１〜３のいずれが、被検眼２０７に照射されているかを明確かつ容易に知ることができる。これにより撮像操作の確実性が向上する。
【００８２】
＜各光源の波長＞
ＡＯＳＬＯ部、ＷＦＳＬＯ部、ビーコン部、固視灯部、前眼部観察部に用いられている光源の波長分布の一例を図４に示す。それぞれの光をダイクロイックミラー２７０−１〜４で分けることを可能とするために、それぞれ異なる波長帯になるようにしている。
【００８３】
被検眼の眩しさを低減するために、光源２０１−１〜４から射出される光の波長は７００ｎｍ以上の赤外光であることが望ましい。ビーコン部の光源２０１−３については高い画質は求めておらずハルトマン像が得られればよいため光源２０１−１，２０１−２に比べて光量は少なくて良い。従って、光源２０１−３から射出される光の波長は可視光領域に近くても被検者に与える影響は比較的小さく、光源２０１−３から射出される光の波長は可視光領域に近くても良い。また，ディテクター２３８−１〜２に通常用いられるセンサはシリコンセンサでありシリコンセンサは１０００ｎｍ付近では極端に感度が低くなるため光源２０１−１〜４から射出される光の波長は１０００ｎｍ以下であることが望ましい。また、ＡＯＳＬＯ装置１０１はＡＯＳＬＯ像を得ることを目的としており、所望ＡＯＳＬＯ像を得る補助としてＷＦＳＬＯ像を用いている。従って、最終的に得たいＡＯＳＬＯ像を高分解能で得るため、光源２０１−１から射出される光の波長を光源２０１−２から射出される光の波長よりも短くしている。また、上述のように眼の特性により光源２０１−１の中心波長は８４０ｎｍ付近にすることが望ましい。
【００８４】
従って、眼底観察用のＡＯＳＬＯ装置１０１の場合、短波長側からビーコン部、ＡＯＳＬＯ部，ＷＦＳＬＯ部の順に配置し、ダイクロイックミラーで分離しやすいようにそれぞれの中心波長の間隔を開けると良い。すなわち、第１の測定光の中心波長は７００ｎｍ以上であり、第３の測定光の中心波長は１０００ｎｍ以下である。
【００８５】
さらに、前眼部照明光源２０１−４から射出される光により得られる前眼部像は、ヘッド部１０２の初期の位置合わせに用いられるものである。なお、ヘッド部１０２の位置合わせはＷＦＳＬＯ像を見ながらも行われる。一方、光源２０１−３から射出される光は、最終的に得たいＡＯＳＬＯ像を高分解能で得るために必要な収差を測定するために用いられる。従って、前眼部照明光源２０１−４より光源２０１−３の光量を多くして精度高く収差を測定するため、前眼部照明光源２０１−４より光源２０１−３の波長を長くすることで、被験者に与える負担を軽減しつつ精度高く収差を測定することが可能となる。すなわち、第４の測定光の中心波長は７００ｎｍ以上であり、第３の測定光の中心波長は１０００ｎｍ以下である。また、ヘッド部１０２の初期の位置合わせに用いる前眼部像が取得できればよいため、前眼部照明光源２０１−４の光量は他の光源に比べて小さくてもよい。
【００８６】
なお、前眼部照明光源２０１−４の中心波長と光源２０１−２の中心波長とを入れ替えると、被検眼上で走査される光を射出する光源２０１−２の中心波長が可視光の波長に近づく。これにより、走査時に被検眼が光の軌跡を追ってしまい、固視が安定しなくなってしまう。従って、前眼部照明光源２０１−４の中心波長と光源２０１−２の中心波長とは上記の如き条件となっている。
【００８７】
ここで、中心波長同士の間隔は、隣り合う光源の半値全幅の２分の１の和の２倍以上であることが望ましい。本実施例において、光源２０１−１と光源２０１−２の中心波長の間隔を８０ｎｍ、また、光源２０１−１と光源２０１−３の中心波長の間隔も８０ｎｍとしている。光源２０１−１〜３の半値全幅はそれぞれ５０ｎｍ、２０ｎｍ、２０ｎｍであるため、光源２０１−１と光源２０１−２の半値全幅の２分の１の和の２倍は７０ｎｍ、光源２０１−１と光源２０１−３の半値全幅の２分の１の和の２倍も７０ｎｍとなり、中心波長の間隔をこれらの値よりも大きく設定した。こうすることで，それぞれの光の損失を極力抑えることができる。以下、波長の決定工程を含む波長決定方法を具体的に説明する。波長分布が一般的にガウス分布だとすると、ガウス分布のピーク（強度のピーク）の２分の１の位置におけるガウス分布の幅は半値全幅といわれ、この半値全幅の２倍の幅の位置での強度はガウス分布のピーク値の１６分の１になる。言い換えれば、全光量の９５％以上はガウス分布の幅が半値全幅の２倍未満の部分に含まれることとなる。従って、上記のように中心波長同士の間隔を隣り合う光源の半値全幅の２分の１の和の２倍以上にすることで光源間の波長の重なりを起こりづらくすることが可能となる。また、隣り合う中心波長同士の間隔を隣り合う光源の半値全幅の２分の１の和の２倍にすれば、光源間の波長の重なりを回避しつつ中心波長の間隔を小さくすることが可能となり波長を有効に利用することができる。従って、分解能を上げるために極力短い波長を用いることができる。
【００８８】
また、上記の例では、中心波長同士の間隔を、隣り合う光源の半値全幅の２分の１の和の２倍以上とすることとしたが、これに限定されるものではない。例えば、ｎを自然数として、中心波長同士の間隔を隣り合う光源の半値全幅のｎ分の１の和のｎ倍以上とすることとしてもよい。なお、上記の例ではｎ＝２である。すなわち、隣り合う中心波長の間隔は、隣り合う複数の測定光のそれぞれの半値全幅のｎ（ｎは自然数）分の１の値の和のｎ倍の値である。具体的には、隣り合う中心波長の間隔は、隣り合う複数の測定光のそれぞれの半値全幅のｎ分の１の値の和のｎ倍の値以上とする。
【００８９】
なお、中心波長の間隔を決定するのに用いる波長幅は半値全幅でなくともよく、任意の波長幅を用いることとしてもよい。例えば上記の除算を省くため最初から半値全幅の半分の波長幅を用いてもよいし、波長全幅の近傍の波長幅を用いることとしてもよい。すなわち、隣り合う中心波長の間隔は、隣り合う複数の測定光のそれぞれの波長幅に基づいて決定されることとしてもよい。
【００９０】
さらに、中心波長同士の間隔を隣り合う光源の半値全幅の２分の１の和の２倍にする場合には光源間の波長の重なりが中心波長同士の間隔を隣り合う光源の半値全幅の２分の１の和の２より大きくする場合に比べ多くなる。この場合には、重なりあう部分の波長を減衰させる減衰フィルタを設けることとし、波長の重なりによる影響を低減させるようにしても良い。例えば、中心波長同士の間隔が狭くなる程波長の重なる部分が多くなるため、中心波長同士の間隔が狭くなる程広い範囲の波長を減衰させる減衰フィルタを用いることとしてもよい。なお、中心波長同士の間隔と減衰させる波長範囲とを関連付けたテーブルを備え、このテーブルを制御ＰＣ１０６が参照することで図示しない減衰フィルタを例えば被検眼２０７の手前または光源のそれぞれ等、光路中の任意の位置に挿脱する。このように減衰フィルタを用いることにより、中心波長同士をより近づけることが可能となり波長をより有効に利用することが可能となる。
【００９１】
また、光源２０１−３の中心波長と光源２０１−４の中心波長との間隔については、上記と同様の方法で間隔を決定してもよいし、決定しなくてもよい。中心波長の間隔を上記のように決定しなくてもよいのは、前眼部画像は他の画像に比べ精度を必要としないためである。
【００９２】
なお、図４は各光源の波長の違いを示すものであり、その強度およびスペクトル形状を規定するものではない。
【００９３】
＜画像化＞
次に、撮像画像の構成方法について説明する。
【００９４】
ディテクター２３８−１において、入射された光は光の強度が電圧に変換される。ディテクター２３８−１で得られた電圧信号は、制御ＰＣ１０６内のＡＤボード２７６−１にてデジタル値に変換され、制御ＰＣ１０６にて、ＸＹスキャナ２１９−１の動作や駆動周波数と同期したデータ処理が行われ、ＡＯＳＬＯ像が形成される。ここで、ＡＤボード２７６−１の取り込み速度は例えば１５ＭＨｚである。同様に、ディテクター２３８−２で得られた電圧信号は、制御ＰＣ１０６内のＡＤボード２７６−２にてデジタル値に変換され、制御ＰＣ１０６にてＷＦＳＬＯ像が形成される。
【００９５】
＜制御ＰＣ１０６＞
制御ＰＣ１０６の機能の一例について説明する。図５は、制御ＰＣ１０６の機能の一例を模式的に示す図である。
【００９６】
制御ＰＣ１０６はＣＰＵ等の処理部がメモリ等の記憶装置に格納された所定のプログラムを実行することで、ソフト制御手段１１０、画像生成手段１１１、表示制御手段１１２、収差決定手段１１３および駆動・制御手段１１４として機能する。
【００９７】
ソフト制御手段１１０は、測定用の制御ソフトおよびビューワーソフトの起動および停止を制御する。例えば、ソフト制御手段１１０は、ＡＯＳＬＯ装置１０１の電源が投入された場合または制御用ソフトの実行ファイルが検査者により指定された場合に測定用の制御ソフトを起動する。また、ソフト制御手段１１０はビューワーソフトの実行ファイルが検査者により指定された場合にビューワーソフトを起動する。さらに、検査者によりソフトの終了の指示があった場合、ソフト制御手段１１０は測定用の制御ソフトおよびビューワーソフトを停止させる。なお、制御ソフトおよびビューワーソフトは制御ＰＣ１０６が備えるメモリ等の記憶手段に記憶されていてもよいし、制御ＰＣ１０６と無線または有線を介して通信可能な外部の記憶手段に記憶されていてもよい。
【００９８】
画像生成手段１１１は、各種の画像を生成する。例えば、画像生成手段１１１はＡＤボード２７６−１の出力に基づいてＡＯＳＬＯ像を生成する。また、画像生成手段１１１は、ＡＤボード２７６−２の出力に基づいてＷＦＳＬＯ像を生成する。また、画像生成手段１１１は波面センサ２５５の出力に基づいてハルトマン像を生成する。さらに、画像生成手段１１１は、ＣＣＤカメラ２６０の出力に基づいて前眼部像を生成する。
【００９９】
表示制御手段１１２は、画像生成手段１１１によって生成された画像等の各種の情報を液晶モニター１０５に表示させる。また、表示制御手段は、収差決定手段１１３により決定された収差のグラフや値を液晶モニター１０５に表示させる。
【０１００】
さらに、表示制御手段１１２は、シャッター２９１−１〜３の開閉状態を、シャッター状態表示領域５０９に表示させる。
【０１０１】
ここで、シャッター状態表示領域５０９に表示させる情報は、シャッターの開閉状態に限定されるものではない。例えば、被検眼への測定光の入射状態を示す情報であればよく、シャッターの代わりにフィルタが用いられている場合にはフィルタが光路に挿入されているか離脱しているかを示す情報を表示することとしてもよいし、測定光が入射されているか否かを示す情報を表示することとしてもよい。すなわち、表示制御手段１１２は、第１の測定光、第２の測定光および第３の測定光の被検眼への入射状態を示す表示形態を表示部に表示させる表示制御手段の一例に相当する。より具体的には、表示制御手段１１２は、複数の光路のそれぞれに備えられたシャッターの開閉状態を示す表示形態を表示部に表示させる。また、表示制御手段１１２は、複数の光路のそれぞれに備えられたフィルタの挿脱状態を示す表示形態を表示部に表示させる。
【０１０２】
収差決定手段１１３は、波面センサ２５５の出力に基づいて被検眼２０７における収差を決定する。具体的には、収差決定手段１１３、ハルトマン像から被検眼２０７における収差を決定する。
【０１０３】
駆動・制御手段１１４は、各種の可動部材を駆動する。具体的には、駆動・制御手段１１４は光スキャナ駆動ドライバ２８２を介してＸＹスキャナ２１９−１、２１９−２を駆動する。また、駆動・制御手段１１４は電動ステージ駆動ドライバ２８３を介して電動ステージ２１７−１〜４を駆動する。さらに、駆動・制御手段１１４は、固視灯駆動ドライバ２８４を介して固視灯２５６を駆動する。具体的には駆動・制御手段１１４は、点灯位置２６５の移動、点灯、点滅の切り替え、大きさや形状の変更を制御する。また、駆動・制御手段１１４は空間光変調器駆動ドライバ２８８を介して空間光変調器２５９を制御する。具体的には、駆動・制御手段１１４は収差決定手段１１３により決定された収差に基づいて空間光変調器２５９を制御することで被検眼２０７による収差を補正する。より具体的には、駆動・制御手段１１４は収差を低減するように空間光変調器２５９を制御する。すなわち、空間光変調器２５９は収差測定手段により測定された収差に基づいて被検眼によって生じる第２の測定光の被検眼からの戻り光の収差を補正する補正手段の一例に相当する。
【０１０４】
さらに、駆動・制御手段１１４は検査者の入力に応じて顎受け駆動部１０９を介して顎受け１０８を駆動する。
【０１０５】
また、駆動・制御手段１１４はシャッター２９１−１〜３の開閉を制御する。さらに、駆動・制御手段１１４は光源の点灯および消灯を制御する。駆動・制御手段１１４は第１の光源および第２の光源が点灯した状態で、第１の制限手段および第２の制限手段を制御することで、第１の測定光および第２の測定光のうちいずれか１つの測定光を被検眼に入射させるとともに他の測定光の被検眼への入射を制限する制御手段の一例に相当する。
【０１０６】
＜撮像手順＞
次に、本実施例のＡＯＳＬＯ装置１０１における撮像手順について図６および図７を用いて説明する。図６は本実施例におけるＡＯＳＬＯ装置の動作の一例を示すフローチャートである。図７は本実施例において液晶モニター１０５に表示されるＡＯＳＬＯ装置１０１の制御画面の一例を示す図である。
【０１０７】
以下に、フローチャートの各ステップについて詳しく述べる。なお、初期状態においてシャッター２９１−１〜３は全て閉じているものとする。
【０１０８】
まず、制御ＰＣ１０６を含むＡＯＳＬＯ装置１０１の電源が投入されるとＡＯＳＬＯ装置１０１による各処理がスタートする。
【０１０９】
［ステップＳ１］
制御ＰＣ１０６を含むＡＯＳＬＯ装置１０１の電源が入ると、ソフト制御手段１１０は測定用の制御ソフトを起動する。測定用の制御ソフトが起動すると、表示制御手段１１２によって図７に示す制御ソフト画面が液晶モニター１０５に表示される。なお、測定用の制御ソフトが起動した後に被検者に顔を顔受け部１０４にセットしてもらう。
【０１１０】
ここで、図７に示す制御画面の一例について説明する。なお、図７に示す制御ソフトの画面構成は一例であり、図７に示す例に限定されるものではない。すなわち、制御画面の配置等は任意に変更可能である。
【０１１１】
図７に示す制御画面は、実行ボタン５０１、ＳＴＯＰボタン５０２、電動ステージボタン５０３、フォーカス調整ボタン５０４、ＷＦＳＬＯ測定５０５、収差測定ボタン５０６、ＡＯＳＬＯ測定ボタン５０７を備える。
【０１１２】
さらに、図７に示す制御画面は、収差補正一時停止ボタン５０８、シャッター状態表示領域５０９、収差表示領域５１１、前眼部表示領域５１２、固視灯位置表示領域５１３、波面表示領域５１４、ＷＦＳＬＯ表示領域５１５を備える。
【０１１３】
また、図７に示す制御画面は、ＷＦＳＬＯ強度表示領域５１６、ＷＦＳＬＯ記録ボタン５１７、ＡＯＳＬＯ表示領域５１８、ＡＯＳＬＯ強度表示領域５１９、ＡＯＳＬＯ記録ボタン５２０、自動フォーカスボタン５２１を備える。
【０１１４】
さらに、図７に示す制御画面は、収差補正ボタン５２２、撮像条件設定ボタン５２３、深さ調整ボタン５２４を備える。
【０１１５】
実行ボタン５０１がマウス等の指示手段により選択（例えばクリック）された後、駆動・制御手段１１４により前眼部照明光源２０１−４が点灯し前眼部照明光源２０１−４から射出された光が被検眼２０７に入射する。そして、表示制御手段１１２は前眼部表示領域５１２にＣＣＤカメラ２６０の出力に基づいて生成された前眼部像を表示する。
【０１１６】
なお、実行ボタン５０１が選択された場合、制御ＰＣ１０６は患者情報を選択または登録する画面を液晶モニター１０５に表示させることとしてもよい。この場合、患者情報が選択または登録された後に前眼部照明光源２０１−４が点灯し、表示制御手段１１２によって前眼部画像を前眼部表示領域５１２に表示することとしてもよい。なお、指示手段による選択はクリックに限定されるものではなく、液晶モニター１０５がタッチパネル機能を備える場合には、検査者がモニターをタッチすることで選択を行ってもよい。
【０１１７】
ＳＴＯＰボタン５０２が選択された場合、ソフト制御手段１１０は制御ソフトを停止させる。
【０１１８】
電動ステージ移動ボタン５０３は、Ｘステージ移動ボタン、Ｙステージ移動ボタン、Ｚステージ移動ボタンを備えている。電動ステージ移動ボタン５０３が選択された場合、駆動・制御手段１１４は顎受け駆動部１０９介して顎受け１０８を移動させる。例えば、Ｘステージ移動ボタン、Ｙステージ移動ボタン、Ｚステージ移動ボタンのそれぞれはスライダーであり、スライダーの移動量および移動方向に応じて駆動・制御手段１１４は顎受け１０８を移動させる。例えば、Ｙステージ移動ボタンが選択された場合には駆動・制御手段１１４は顎受け１０８をＹ方向に移動させる。同様に、選択されたボタンに応じて、駆動・制御手段１１４は顎受け１０８をＸ方向、Ｚ方向に移動させる。なお、電動ステージ移動ボタン５０３はスライダーに限定されるものではなく、顎受け１０８に対して駆動指示を行うことができる形態であれば他の形態としてもよい。
【０１１９】
フォーカス調整ボタン５０４は例えばスライダーであり、スライダーの移動量および移動方向に応じて駆動・制御手段１１４はレンズ２３５−１０、１４、１６、１８を駆動する。なお、フォーカス調整ボタン５０４はスライダーに限定されるものではなく、レンズ２３５−１０、１４、１６、１８に対して駆動指示を行うことができる形態であれば他の形態としてもよい。
【０１２０】
ＷＦＳＬＯ測定ボタン５０５が選択された場合、制御ＰＣ１０６は光源２０１−２から射出された光の被検眼への入射を許可する。具体的には、ＷＦＳＬＯ測定ボタン５０５が選択される以前は、光源２０１−１〜３から射出された光の被検眼への入射が制限されていた状態から光源２０１−２から射出された光が被検眼へ入射する状態へと切り替える。この切り替えは、例えば、駆動・制御手段１１４が、消灯していた光源２０１−２を点灯させるか、被検眼と光源２０１−２とを結ぶ光路中に挿入されていたシャッターを光路から退避させることで行われる。
【０１２１】
収差測定ボタン５０６が選択された場合、駆動・制御手段１１４は光源２０１−２から射出された光の被検眼への入射を制限する。射出された光の被検眼２０７への入射の制限は、例えば、被検眼２０７と光源２０１−２とを結ぶ光路のシャッター２９１−２を閉じるか、光源２０１−２を消灯することにより行われる。また、収差測定ボタン５０６が選択された場合、制御ＰＣ１０６は、光源２０１−３から射出された光の被検眼２０７への入射を許可する。具体的には、収差測定ボタン５０６が選択される以前は、光源２０１−１および光源２０１−３から射出された光の被検眼への入射が制限されていた状態から光源２０１−３から射出された光が被検眼へ入射する状態へと切り替える。この切り替えは、例えば、駆動・制御手段１１４が、消灯していた光源２０１−３を点灯させるか、被検眼２０７と光源２０１−３とを結ぶ光路中に挿入されていたシャッター２９１−３を開くことで行われる。なお、光源２０１−２から射出された光の被検眼２０７への入射の制限と光源２０１−３から射出された光の被検眼２０７への入射の許可とのタイミングは、どちらが先であってもよいし、同時であっても良い。但し、被検眼２０７へ入射する光量をなるべく多くしないように、光源２０１−２から射出された光の被検眼２０７への入射の制限を行った後に、光源２０１−３から射出された光の被検眼２０７への入射を許可することが好ましい。
【０１２２】
ＡＯＳＬＯ測定ボタン５０７が選択された場合、駆動・制御手段１１４は光源２０１−３から射出された光の被検眼への入射を制限する。射出された光の被検眼への入射の制限は、例えば、被検眼と光源２０１−３とを結ぶ光路のシャッター２９１−３を閉じるか、光源２０１−３を消灯することにより行われる。また、ＡＯＳＬＯ測定ボタン５０７が選択された場合、制御ＰＣ１０６は、光源２０１−１から射出された光の被検眼２０７への入射を許可する。具体的には、ＡＯＳＬＯ測定ボタン５０７が選択される以前は、光源２０１−１および光源２０１−２から射出された光の被検眼２０７への入射が制限されていた状態から光源２０１−１から射出された光が被検眼２０７へ入射する状態へと切り替える。この切り替えは、例えば、駆動・制御手段１１４が、消灯していた光源２０１−１を点灯させるか、被検眼２０７と光源２０１−１とを結ぶ光路中に挿入されていたシャッター２９１−１を開くことで行われる。なお、光源２０１−３から射出された光の被検眼２０７への入射の制限と光源２０１−１から射出された光の被検眼２０７への入射の許可とのタイミングは、どちらが先であってもよいし、同時であっても良い。但し、被検眼２０７へ入射する光量をなるべく多くしないように、光源２０１−３から射出された光の被検眼２０７への入射の制限を行った後に、光源２０１−１から射出された光の被検眼２０７への入射を許可することが好ましい。
【０１２３】
収差補正一時停止ボタン５０８が選択されると、制御ＰＣ１０６は収差補正を一時停止する。例えば、収差決定手段１１３による収差の算出は続けるが駆動・制御手段１１４による空間光変調器２５９の制御を停止する。または、収差の算出自体を停止する。なお、図示しない再開ボタンを設け、再開ボタンが選択された場合に収差補正を再開するようにしてもよいし、収差補正一時停止ボタン５０８を再度選択した場合に収差補正を再開することとしてもよい。
【０１２４】
シャッター状態表示領域５０９には、シャッター２９１−１〜３の開閉状態を示す情報が表示制御手段１１２によって表示される。図７に示す例ではシャッター２９１−１〜３に対して、それぞれのシャッターが開いている状態（図中ＯＰＥＮと記載）か閉じている状態（図中ＣＬＯＳＥと記載）かを示す領域を設けている。そして、シャッター２９１−１〜３の開閉状態に応じた領域が強調表示される。例えば、図７に示す状態は、シャッター２９１−１が開いており、シャッター２９１−２〜３が閉じた状態を示している。なお、シャッター状態表示領域５０９の形態はこれに限定されるものではなく、シャッター２９１−１〜３の開閉が確認できる表示形態であれば他の表示形態であってもよい。例えば、シャッター２９１−１〜３のそれぞれに対応したスイッチを表示し、シャッターが開いている場合スイッチが押し下げられた状態となり、シャッターが閉じている場合スイッチが押し下げられていない状態とすることとしてもよい。
【０１２５】
収差表示領域５１１には、収差決定手段１１３が決定（算出）した収差が時系列のグラフとして表示制御手段１１２によって表示される。
【０１２６】
前眼部表示領域５１２には、画像生成手段１１１がＣＣＤカメラ２６０の出力に基づいて生成された前眼部像が表示制御手段１１２によって表示される。
【０１２７】
固視灯位置表示領域５１３には、固視の位置を示す情報が表示制御手段１１２によって表示される。例えば、固視灯位置表示領域５１３には固視の座標を示すグリッドが表示され、固視の位置がグリッド上に例えば輝点として表示される。また、操作手段によりグリッド上のある点を選択すると、駆動・制御手段１１４は選択された位置に応じて固視灯２５６における点灯位置２６５を変更する。なお、固視灯位置表示領域５１３には現在の固視の位置を示す座標が数値で表示されることとしてもよい。この場合、表示された数値を変更することで点灯位置２６５を変更することが可能である。
【０１２８】
波面表示領域５１４には、波面センサ２５５で検出されたハルトマン像が表示制御手段１１２によって表示される。なお、波面表示領域５１４は、常に設けることとしてもよいし、収差測定ボタン５０６が選択され収差の測定が開始されハルトマン像が得られた場合に別ウインドウとしてポップアップするように構成してもよい。ポップアップするように構成すれば、収差を測定していない状態において液晶モニター１０５の画面を有効に使うことが可能となる。
【０１２９】
ＷＦＳＬＯ表示領域５１５には、画像生成手段１１１により生成されたＷＦＳＬＯ像が表示制御手段１１２によって表示される。
【０１３０】
ＷＦＳＬＯ強度表示領域５１６にはＷＦＳＬＯ像の信号強度が表示制御手段１１２によって表示される。より具体的には、ＷＦＳＬＯ像の信号強度が時系列でグラフとして表示される。
【０１３１】
ＷＦＳＬＯ記録ボタン５１７が選択された場合、駆動・制御手段１１４は、ＷＦＳＬＯ像を例えばＨＤＤ（Ｈａｒｄ  Ｄｉｓｋ  Ｄｒｉｖｅ）等の図示しない記憶手段に記録する。
【０１３２】
ＡＯＳＬＯ表示領域５１８には、収差補正済みのＡＯＳＬＯ像が表示制御手段１１２によって表示される。
【０１３３】
ＡＯＳＬＯ強度表示領域５１９に、ＡＯＳＬＯ像の信号強度が表示制御手段１１２によって表示される。より具体的には、ＡＯＳＬＯ像の信号強度が時系列でグラフとして表示される。
【０１３４】
ＡＯＳＬＯ記録ボタン５２０が選択された場合、駆動・制御手段１１４は、ＡＯＳＬＯ像を例えばＨＤＤ等の図示しない記憶手段に記録する。
【０１３５】
自動フォーカスボタン５２１が選択されると、駆動・制御手段１１４はデフォーカスの値が小さくなるようにレンズ２３５−１０、１４、１６、１８の位置が自動的に調整される。
【０１３６】
収差補正ボタン５２２が選択されると、駆動・制御手段１１４は収差量が小さくなる方向に自動的に空間光変調器２５９を調整される。
【０１３７】
撮像条件設定ボタン５２３は、例えば、撮像画角設定ボタン、フレームレート設定ボタン、撮像時間設定ボタンを備えている。例えば、撮像画角設定ボタンは複数の画角のそれぞれに対応した複数のボタンを備え、検査者は所望の画角に対応するボタンを選択することで、所望の画角で撮像を行うことが可能となる。フレームレート設定ボタン、撮像時間設定ボタンについても撮像画角設定ボタンと同様に構成されている。
【０１３８】
深さ調整ボタン５２４は、例えばスライダーであり、スライダーの移動量および移動方向に応じて駆動・制御手段１１４はレンズ２３５−１０を駆動する。なお、深さ調整ボタン５２４はスライダーに限定されるものではなく、レンズ２３５−１０を駆動可能であれば他の形態としてもよい。
【０１３９】
収差表示領域５２５には、収差決定手段１１３によって決定されたデフォーカス（ｄｅｆｏｃｕｓ）成分（μｍ単位）の収差量および全ての収差量（μｍＲＭＳ単位）が表示制御手段１１２によって表示される。なお、これら両者のいずれか一方のみを表示するようにしてもよい。なお、表示される収差量の単位は上記の単位に限定されるものではなく、他の単位を用いてもよい。
【０１４０】
以下、図６に示すフローチャートの説明に戻る。
【０１４１】
［ステップＳ２］
制御ソフト画面の実行ボタン５０１を押すと、前眼部表示領域５１２に前眼部の画像が表示される。画面中央に瞳孔の中心が正しく表示されていない場合は、まずジョイスティック１０７を用いてヘッド部１０２を略正しい位置に動かす。さらに調整が必要な場合は、制御画面上の電動ステージボタン５０３を押し、駆動・制御手段１１４によって顎受け１０８を微動させる。
【０１４２】
［ステップＳ２２］
続いて、駆動・制御手段１１４は、閉じていたＷＦＳＬＯ用のシャッター２９１−２を開く。シャッター状態表示領域５０９には、ＷＦＳＬＯ用のシャッター２９１−２が開いている状態を示す表示が行われる。また、シャッター状態表示領域５０９にはシャッター２９１−１、２９−３が閉じていることを示す表示が行われる。
【０１４３】
なお、ＷＦＳＬＯ用のシャッター２９１−２を開くタイミングは制御ソフト画面の実行ボタン５０１が選択された時または制御ソフト起動時であってもよいし、前眼部表示領域５１２に前眼部の画像が表示される前であってもよい。
【０１４４】
［ステップＳ３］
略正しい状態で前眼部画像が表示された場合、ＷＦＳＬＯ像がＷＦＳＬＯ表示領域５１５に表示される。例えば、検査者は固視灯位置表示領域５１３で固視灯を中央位置に設定し、被検眼２０７の視線を中心に誘導する。なお、例えば、制御ソフト起動時または実行ボタン５０１選択時にＷＦＳＬＯ測定ボタン５０５は自動的に選択されている。
【０１４５】
次に、検査者はＷＦＳＬＯ強度表示領域５１６に表示されるＷＦＳＬＯ像の強度を見ながら、フォーカス調整ボタン５０４を調整して、ＷＦＳＬＯ強度が大きくなるようにする。ここで、ＷＦＳＬＯ強度表示領域５１６には横軸時間、縦軸信号強度でＷＦＳＬＯ部で検出された信号強度が時系列に表示される。なお、フォーカス調整ボタン５０４を調整することで、レンズ２３５−１０、１４、１６、１８の位置が駆動・制御手段１１４によって同時に調整される。
【０１４６】
ＷＦＳＬＯ像が鮮明に表示された場合、検査者はＷＦＳＬＯ記録ボタン５１７を押して、ＷＦＳＬＯデータ（ＷＦＳＬＯ像）を保存する。
【０１４７】
［ステップＳ４］
検査者はＷＦＳＬＯ表示領域５１５に表示されたステップＳ３で保存されたＷＦＳＬＯ像を確認し、ＡＯＳＬＯ像を取得したい位置を後述の手段を用いて決める。次に、検査者は、その位置がＷＦＳＬＯ表示領域５１５の例えば中央にくるように被検眼２０７の視線を誘導する。
【０１４８】
ＡＯＳＬＯ像を取得する位置を決める手段は２通りあり、一つは固視灯位置表示領域５１３において固視灯の位置を指示する方法、もう一つはＷＦＳＬＯ表示領域５１５においてＷＦＳＬＯ像の所望の位置をクリックする方法である。ＷＦＳＬＯ表示領域５１５上の画素と固視灯の位置を関連付けており、クリックされた位置に応じて駆動・制御手段１１４は固視灯の位置を自動的に移動し、視線を所望の位置に誘導する。なお、ステップＳ３で保存されたＷＦＳＬＯ像を用いて被検眼の視線を誘導しているため、ＷＦＳＬＯ像取得のための光源２０１−２から射出される光をステップＳ４の処理中は被検眼２０７へ入射する必要はない。
【０１４９】
ＡＯＳＬＯ像を取得したい位置がＷＦＳＬＯ表示領域５１５の中央に移動したのを確認して、次の工程に移る。なお、本実施例ではＡＯＳＬＯ像が取得される領域は図２に示した光学系の光軸を中心とした所定の大きさの矩形領域であるものとしている。すなわち、ＡＯＳＬＯ像が取得される領域はＷＦＳＬＯ表示領域５１５の中央を中心とした所定の大きさの矩形領域である。なお、ＡＯＳＬＯ像が取得される領域はこれに限定されるものではなく、任意に変更可能である。
【０１５０】
また、固視灯の位置を変更した後に再びＷＦＳＬＯ像を取得して被検眼２０７の所望の位置がＷＦＳＬＯ表示領域５１５の中央に位置しているか確認し、固視の位置を再調整することとしても良い。この場合、光源２０１−３からの測定光の被検眼２０７への入射を制限している場合には、この制限を解除し被検眼２０７へ測定光を入射させる。このようにすれば、被検眼２０７の所望の位置を確実にＷＦＳＬＯ表示領域５１５の中央位置させることが可能であるとともに、被検眼２０７に対して光が照射される時間を短くすることが可能である。
【０１５１】
［ステップＳ４４］
収差測定ボタン５０６が選択されると、駆動・制御手段１１４はシャッター２９１−２を閉じる。シャッター２９１−２が閉じることで、光源２０１−２から射出される光の被検眼２０７への入射が制限（例えば遮断）される。また、ＷＦＳＬＯ像が保存されることを契機として駆動・制御手段１１４はシシャッター２９１−２を閉じてもよい。すなわち、ステップＳ４４をステップＳ４の前に行ってもよい。
【０１５２】
［ステップＳ４５］
次に、駆動・制御手段１１４はシャッター２９１−３を開く。シャッター２９１−３が開かれることで、光源２０１−３から射出される光が被検眼２０７に入射する。なお、例えば、制御ソフトの起動時または実行ボタン５０１選択時に固視灯２５６は点灯している。すなわち、制御手段に相当する駆動・制御手段１１４は、固視灯から射出された光が被検眼に入射した状態で、第１の測定光を被検眼に入射させる
また、シャッター状態表示領域５０９にはシャッター２９１−３が開いていることを示し、シャッター２９１−１，２９１−３が閉じていることを示す表示が行われる。
【０１５３】
［ステップＳ５、６］
次に、表示制御手段１１２によって波面表示領域５１４に波面センサ２５５で検出されたハルトマン像が表示される。このハルトマン像から計算された収差が表示制御手段１１２によって収差表示領域５１１に表示される。収差はデフォーカス（ｄｅｆｏｃｕｓ）成分（μｍ単位）と、全ての収差量（μｍＲＭＳ単位）に分けて表示される。ここで、ステップＳ３において、ＡＯＳＬＯ測定光とビーコン光のフォーカスレンズであるレンズ２３５−１０、１６の位置が調整されているため、この工程での収差測定が可能な状態になっている。
【０１５４】
ここで自動フォーカスボタン５２１を押すと、駆動・制御手段１１４はデフォーカスの値が小さくなるようにレンズ２３５−１０、１４、１６、１８の位置を自動的に調整する。
【０１５５】
次に収差補正ボタン５２２を押すと、駆動・制御手段１１４は収差量が小さくなる方向に自動的に空間光変調器２５９を調整する。なお、表示制御手段１１２は、リアルタイムに収差量の値を液晶モニター１０５に表示させる。ここで、駆動・制御手段１１４によって収差量と事前に決めておいた閾値との比較が行われる。収差量の値が事前に決めておいた閾値（例えば０．０３μｍＲＭＳ）以下になると駆動・制御手段１１４によって自動的にＡＯＳＬＯ測定ボタン５０７が押され、次の工程に移動する。また、閾値以下にならない場合には、検査者は収差補正一時停止ボタン５０８を押し、収差補正を停止したのち、ＡＯＳＬＯ測定ボタン５０７を押すことにより次の工程に移動することとしてもよい。なお、閾値は上記の値に限定されるものではなく任意の値とすることが可能である。また、収差決定手段１１３よって算出された収差量が所定時間にわたって閾値以下とならない場合には、駆動・制御手段１１４によって自動的にＡＯＳＬＯ測定ボタン５０７が選択されることとしてもよい。
【０１５６】
［ステップＳ６６］
収差量の値が事前に決めておいた閾値以下になると駆動・制御手段１１４によってシャッター２９１−３を閉じる。すなわち、駆動・制御手段１１４はＡＯＳＬＯ測定ボタン５０７が選択されると、シャッター２９１−３を閉じる。シャッター２９１−３が閉じることで、光源２０１−３から射出される光の被検眼２０７への入射が制限（例えば遮断）される。
【０１５７】
［ステップＳ６７］
シャッター２９１−３が閉じると、駆動・制御手段１１４はシャッター２９１−１を開く。すなわち、駆動・制御手段１１４はＡＯＳＬＯ測定ボタン５０７が選択されると、シャッター２９１−１を開く。シャッター２９１−１を開くことで、光源２０１−１から射出される光が被検眼２０７へ入射する。すなわち、駆動・制御手段１１４は、第１の測定光を被検眼に入射し第２の測定光の被検眼への入射を制限している状態から、第１の測定光の被検眼への入射を制限した後に第２の測定光を前記被検眼へ入射させる。シャッター状態表示領域５０９にはシャッター２９１−１が開いていることを示し、シャッター２９１−２、２９１−３が閉じていることを示す表示が行われる。
【０１５８】
［ステップＳ７］
ＡＯＳＬＯ表示領域５１８に収差補正済みのＡＯＳＬＯ像が表示される。また、ＡＯＳＬＯ強度表示領域５１９には、ＷＦＳＬＯ強度表示領域５１６と同様に、ＡＯＳＬＯ像の信号強度が時系列に表示される。
【０１５９】
信号強度が不十分な場合には、検査者は、ＡＯＳＬＯ強度表示領域５１９を見ながらフォーカス、顎受け位置を調整し、信号強度が大きくなるようにする。
【０１６０】
また、検査者は、撮像条件設定ボタン５２３によって、撮像画角、フレームレート、撮像時間を指定することができる。
【０１６１】
さらに、検査者は、深さ調整ボタン５２４を調整することで、レンズ２３５−１０を移動させ、被検眼２０７の深さ方向の撮像範囲を調整することができる。具体的には、深さ調整ボタン５２４を調整することで、視細胞層や神経線維層や色素上皮層等の所望の層の像を取得することができる。
【０１６２】
ＡＯＳＬＯ像が鮮明に表示された場合、検査者はＡＯＳＬＯ記録ボタン５２０を押して、ＡＯＳＬＯデータ（ＡＯＳＬＯ像）を保存する。その後、駆動・制御手段１１４によって測定光２０６−１の被検眼２０７への入射が制限される。
【０１６３】
［ステップＳ７７］
ＡＯＳＬＯ像が保存されると、ＡＯＳＬＯ用のシャッター２９１−１が閉じ、測定光２０６−１被検眼の入射を制限する。シャッター状態表示領域５０９には、すべてのシャッター２９１−１〜３が閉じている状態が表示される。
【０１６４】
［ステップＳ８］
検査者は撮像位置の変更を行うか否かを判断する。撮像位置の変更を行う場合にはステップＳ４に戻る。ステップＳ４に戻った後のステップＳ４４は省略される。一方、撮像位置を変更しない場合には、次の工程へ進む。なお、撮像位置変更ボタンを液晶モニター１０５に表示させることとして、この撮像位置変更ボタンが選択された場合に制御ＰＣ１０６は撮像位置の変更が行われると判断することとしてもよい。また撮像位置変更ボタンがＡＯＳＬＯ像保存後、所定時間選択されなかった場合には制御ＰＣ１０６は撮像位置の変更は行われないと判断してもよい。
【０１６５】
［ステップＳ９］
検査者は、左右眼の切り替えを行うか否かを判断する。切り替えを行う場合にはステップＳ２に戻る。一方、左右眼の切り替えを行わない場合には、次の工程へ進む。なお、左右眼切替ボタンを液晶モニター１０５に表示させることとして、この左右眼切替ボタンが選択された場合に制御ＰＣ１０６は右眼の切り替えが行われると判断することとしてもよい。また左右眼切替ボタンがＡＯＳＬＯ像保存後、所定時間選択されなかった場合には制御ＰＣ１０６は右眼の切り替えは行われないと判断してもよい。  なお、ステップＳ８とステップＳ９との実行順序は逆であってもよい。
【０１６６】
［ステップＳ１０］
検査者はＳＴＯＰボタン５０２を押し、制御ソフトを停止させる。制御ソフトが停止し一連の撮影動作が終了する。
【０１６７】
＜画像の確認＞
次に、本実施例のＡＯＳＬＯ装置１０１において撮像したデータを画像化して確認する方法について図８を用いて説明する。図８は、本実施例における画像閲覧ソフトの画面の構成の一例を示す図である。
ソフト制御手段１１０によって撮像した画像データを可視化するビューワーソフトが起動すると、表示制御手段１１２によって図８に示すビューワーソフト画面が液晶モニター１０５に表示される。
【０１６８】
本ビューワーソフトは、保存されたＷＦＳＬＯデータ、もしくはＡＯＳＬＯデータを読み込んで画像化することができる。
ビューワーソフト画面は、画像表示領域６０１、画像番号選択部６０２および画質調整部６０３を備える。
【０１６９】
画像表示領域６０１には画像番号選択部６０２を用いて選択された画像、例えばＡＯＳＬＯ像が表示される。また、タブ等の表示切り替え手段を設けて画像表示領域６０１にＡＯＳＬＯ像に対応するＷＦＳＬＯ像を表示できるようにしてもよい。このようにすれば簡単にＡＯＳＬＯ像とＷＦＳＬＯ像とを見比べることが可能となる。また、ＡＯＳＬＯ像とＷＦＳＬＯ像と並べて表示することとしてもよい。
【０１７０】
画像番号選択部６０２は、ＡＯＳＬＯ装置１０１によって取得した複数のＡＯＳＬＯ像のうち所望のＡＯＳＬＯ像を選択する手段である。例えば、画像番号選択部６０２はスライダーである。このスライダーの位置とＡＯＳＬＯ像の画像番号とが関連付けられており、検査者は指示手段を用いてこのスライダー移動させることで所望のＡＯＳＬＯ像を選択することができる。なお、測定時間によって撮像枚数が変わるが、時間順に画像番号が付けられる。なお、画像番号選択部６０２はスライダーに限定されるものではなく、画像番号を直接入力することができる領域であってもよい。
【０１７１】
画質調整部６０３は、画像の明るさ、コントラスト、ガンマ（図中それぞれ「Ｂ」、「Ｃ」、「Ｇ」と標記）の調整を行うためのスライダーであり、このスライダーを左右にスライドさせることで画質を調整することができる。画質調整部６０３に対する入力に基づいて制御ＰＣ１０６はＡＯＳＬＯ像等の画像に対して画質調整を行う。
【０１７２】
また、ビューワーソフト画面は上記の例に限定されるものではなく、例えば、画像表示領域６０１に表示されたＡＯＳＬＯ像を取得した際の固視の位置を座標値または図として表示することとしても良い。また、画像表示領域６０１に表示されたＡＯＳＬＯ像を取得した際の顔受け１０４の座標を表示することとしてもよい。さらに、画像表示領域６０１に表示されたＡＯＳＬＯ像を取得した際の走査時間に対するＡＯＳＬＯ像の輝度や振幅をグラフとして表示することとしてもよい。また、画像表示領域６０１に表示されたＡＯＳＬＯ像を取得した際のレンズ２３５−１０、２３５−１４、２３５−１６、２３５−１８のうち少なくとも一つのレンズ位置を示す情報を表示することとしてもよい。
【０１７３】
なお、画像表示領域６０１にはＡＯＳＬＯ像を動画として表示することとしてもよい。この場合、上述のＡＯＳＬＯ像の取得時における固視の位置等のパラーメーターもＡＯＳＬＯ像に対応した値が順次表示される。
【０１７４】
このように本実施例によれば、複数の光源から光を同時に被検眼に入射させることを防ぎながらＡＯＳＬＯ像を取得することができる。従って、安全性を確保しながら画質の低下を防止することが可能となる。
【０１７５】
また、光源２０１−３から射出された光が被検眼２０７に入射している状態では固視灯２５６は点灯している。従って、被検眼２０７の動きを抑えることができ正確に収差の測定を行うことが可能となる。
【０１７６】
さらにＷＦＳＬＯ像保存後に光源２０１−２から射出される測定光の被検眼２０７への入射を制限し、ＷＦＳＬＯ像を用いてＡＯＳＬＯ像の取得位置を調整することとすれば、被検者に照射する光量をより抑えることが可能となる。
また、本実施例によれば、測定光の被検眼２０７への入射の制限を解除する際に、光源２０１−１〜３を消灯してから安定して光を射出するまでの時間が不要となる。従って、安全性を確保しながら画質の低下を防止するとともに検査時間の長時間化を防止することが可能となる。
【０１７７】
さらに、被検眼に光源２０１−１〜３から射出された光が同時に入射しないため、それぞれの光量を高くすることが可能となり、精度の高いＡＯＳＬＯ像を得ることが可能となる。
【０１７８】
また、シャッター２９１−１〜３の開閉状態がシャッター状態表示領域５０９に表示されるため、検査者は測定光２０６−１〜３のいずれが、被検眼２０７に照射されているかを明確かつ容易に知ることができ、撮像操作の確実性が向上する。
【０１７９】
さらに、本実施例に係るＡＯＳＬＯ装置１０１の場合、短波長側から前眼観察用の光源、収差測定用の光源、ＡＯＳＬＯ像取得用の光源，ＷＦＳＬＯ像取得用の光源の順にすることで、用途に的にした波長を各光源に割り振っている。従って、本実施例に係るＡＯＳＬＯ装置１０１によれば、精度の高いＡＯＳＬＯ像を得ることができる。すなわち、ＡＯＳＬＯ装置に適した光源の波長関係を用いることで精度の高いＡＯＳＬＯ像を得ることが可能となる。また、本実施例によれば、複数の光源を備えた装置における各光源の波長の決定方法が明確になる。さらに、本実施例によれば、中心波長同士の間隔を、隣り合う光源の半値全幅の２分の１の和の２倍以上とすることで、波長を有効に利用することができる。従来、波長を有効に利用するように波長を決定する方法は開示されていなかった。しかし、本発明のように、中心波長同士の間隔を、隣り合う光源の半値全幅の２分の１の和の２倍にすれば、不必要に中心波長間隔を広げずにすみ、センサの感度や所望分解能に応じて波長を有効に利用することができる。なお、上記の実施例を前眼に適用することとしてもよい。
【０１８０】
なお、上記の実施例では眼について述べたが眼以外の皮膚や臓器等に用いても良い。
【０１８１】
［その他］
本件は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【０１８２】
１０１  ＡＯＳＬＯ装置
１０２  ヘッド部
１０３  ステージ部
１０４  顔受け部
１０５  液晶モニター
１０６  制御ＰＣ
【図１】
0006041540.tif 000002
【図２】
0006041540.tif 000003
【図３】
0006041540.tif 000004
【図４】
0006041540.tif 000005
【図５】
0006041540.tif 000006
【図６】
0006041540.tif 000007
【図７】
0006041540.tif 000008
【図８】
0006041540.tif 000009